(57)【要約】【課題】構造が単純化され、部品点数の削減を図った網戸用戸車装置を提供する。【解決手段】戸車ケース３は外ケース４と内ケース５とからなり、内ケース５に対して、車輪９を保持し下レール側に付勢されるアーム８と、下レール方向に沿って移動自在にアーム移動規制用スライダー６を設ける。アーム移動規制用スライダー６は、アーム８の側面に対して隣接配置され、アーム側の面に凸部６ａを備えるとともに、アーム８の側面に凸部６ａが係合する面状の切欠き１３が形成され、面状の切欠き１３は凸部６ａが入り込むことによりアーム８を揺動不能に保持する揺動規制部８ｃと、凸部６ａが揺動規制部８ｃから抜け出すことによりアーム８を揺動可能にする揺動許容部８ｄとからなり、アーム移動規制用スライダー６を移動制御することにより凸部６ａを揺動規制部８ｃと揺動許容部８ｄとの間で切り換え可能とする。【選択図】図５
2017057554.tif 000002
【特許請求の範囲】
【請求項１】
戸車ケースと、一端を中心として揺動自在に支持されたアームと、このアームの他端側に回転自在に軸支された車輪と、前記アームを下レール側に付勢する付勢手段とを備えた網戸用戸車装置において、
前記戸車ケースは、網戸に固定支持される外ケースと、この外ケースの内部側に設けられるとともに、前記外ケースとの係合関係によってレール方向への前後進に伴い斜め上下方向に沿って移動可能とされる内ケースとによって構成され、前記外ケースに螺退進自在に設けられ、先端を前記内ケースの側端面に当接させた上下調整ネジによって前記内ケースをレール方向に前後進させることにより上下方向位置を調整可能とし、
前記内ケースに対して、一端を中心として揺動自在に支持されたアームと、このアームの他端側に回転自在に軸支された車輪と、前記アームを下レール側に付勢する付勢手段とを設けるとともに、レール方向に沿って移動自在にアーム移動規制用スライダーを設け、
前記アーム移動規制用スライダーは、前記アームの側面に対して隣接配置され、アーム側の面に凸部を備えるとともに、前記アームの側面に前記凸部が係合する面状の切欠きが形成され、前記面状の切欠きは前記凸部が入り込むことにより前記アームを揺動不能に保持する揺動規制部と、前記凸部が前記揺動規制部から抜け出すことにより前記アームを揺動可能にする揺動許容部とを有し、前記アーム移動規制用スライダーを移動制御することにより前記凸部を前記揺動規制部と揺動許容部との間で切り換え可能としたことを特徴とする網戸用戸車装置。
【請求項２】
前記アーム移動規制用スライダーは、水平配向の棒状部材と、垂直配向の板状部材とを有し、前記棒状部材は前記内ケースに設けられた筒状部を貫通して配置され、前記板状部材は網戸の下框の室内側面に沿うように配置される請求項１記載の網戸用戸車装置。
【請求項３】
前記棒状部材は戸当り部材を兼用しており、網戸の建付け時に縦枠側に移動させ衝突させることにより、前記アーム移動規制用スライダーを移動させ前記凸部を前記揺動規制部から抜け出させるようにしてある請求項２記載の網戸用戸車装置。
【請求項４】
前記アーム移動規制用スライダーの棒状部材に外嵌する支持部と、この支持部から垂下する虫除け板とからなる虫除け用隙間封鎖部材を配設してある請求項１〜３いずれかに記載の網戸用戸車装置。
【発明の詳細な説明】
【技術分野】
【０００１】
本発明は、外れ止め機構を備えた網戸用戸車装置に関する。
【背景技術】
【０００２】
従来より、窓には障子の室外側であって窓枠に形成された上レールと下レールとの間に、所謂ケンドン式によって網戸が取り付けられている。この網戸には、強風、地震等によって網戸が浮き上がった際に、サッシ枠から外れるのを防止するために外れ止め装置が設けられているものが多く存在する。前記外れ止め装置は、網戸を窓枠に設置した状態で、下レール側に付勢保持されることにより網戸が外れるのを防止するものであるが、網戸の建付け時に下レール側に付勢保持されたままであると、網戸の建付けができないため上側位置で揺動不能に保持される必要がある。また、冬期など網戸が不要となったり、掃除などのために網戸を取り外す際には、外れ止めを上側位置で揺動不能に保持する必要がある。従って、外れ止め部材を任意に揺動不能に保持する状態と揺動可能に保持する状態とに切り換えできるものが種々提案されている。
【０００３】
例えば、下記特許文献１では、網戸の下框に戸車を備えた戸車本体を取付け、この戸車をサッシ枠を構成する下枠の下レールに沿って走行自在とした網戸において、前記戸車本体に外れ止め部材を、その下端部が下框下面より上方となる上方位置と下端部が下框下面より下方に突出する下方位置に亘って移動自在に取付け、この外れ止め部材をスプリングで下方位置に向けて移動付勢し、前記下框に沿って錠部材を前記外れ止め部材と接して上方位置で保持する第１の位置と外れ止め部材と離隔した第２の位置とに亘って移動自在に設けた網戸の外れ止め装置が開示されている。
【０００４】
また、下記特許文献２では、下框内に取付ける本体ケースと、本体ケースに組み込んだ戸車、外れ止め部材及びスライドバーとを備え、戸車はコマとコマケースからなり、コマケースは上下方向に揺動可能に本体ケースに軸支してあると共に、コマが本体ケースの下縁より下方に飛び出さないように下方揺動の限界を規制してあり、外れ止め部材は、上下方向に揺動可能に本体ケースに軸支してあると共に、本体ケース内の弾性部材により下方向に付勢してあり、スライドバーは下框に沿って移動自在に設けてあり、本体ケース及び下框の側端面から突出する戸当り部と本体ケース内に挿入した作動部とを有し、作動部は、スライドバー引き出し時に外れ止め部材を本体ケース内に収納した状態で揺動を規制し、スライドバー押し込み時にその規制を解除するものであると共にコマケース及び外れ止め部材の側面に常時当接しており、網戸建て付け時に戸当り部を押してスライドバーを押し込むと、外れ止め部材が付勢部材により下方に揺動して下枠レールに係合する網戸の戸車装置が開示されている。
【先行技術文献】
【特許文献】
【０００５】
【特許文献１】実用新案登録第２５３７６２２号公報
【特許文献２】特許第５２８６０７３号公報
【発明の概要】
【発明が解決しようとする課題】
【０００６】
しかしながら、前記特許文献１，２の外れ止め装置の場合は、車輪及びこれを保持するアームとは別に、外れ止め機構を設けるようにした構造であるため、構造が複雑であるとともに、その分余計に部品数が多くなるという問題があった。
【０００７】
また、サッシの障子用の下レール及び網戸用下レールの端部には、ゴミの吐き出し等のために切欠きが設けられており、この隙間から虫が侵入する問題があった。
【０００８】
そこで本発明の第１の課題は、構造が単純化され、部品点数の削減を図った外れ止め機構を備えた網戸用戸車装置を提供することにある。
【０００９】
第２の課題は、更に戸車装置に対して、下レールの隙間を塞ぐ虫除け機能を持たせることにある。
【課題を解決するための手段】
【００１０】
上記第１の課題を解決するために請求項１に係る本発明として、戸車ケースと、一端を中心として揺動自在に支持されたアームと、このアームの他端側に回転自在に軸支された車輪と、前記アームを下レール側に付勢する付勢手段とを備えた網戸用戸車装置において、
前記戸車ケースは、網戸に固定支持される外ケースと、この外ケースの内部側に設けられるとともに、前記外ケースとの係合関係によってレール方向への前後進に伴い斜め上下方向に沿って移動可能とされる内ケースとによって構成され、前記外ケースに螺退進自在に設けられ、先端を前記内ケースの側端面に当接させた上下調整ネジによって前記内ケースをレール方向に前後進させることにより上下方向位置を調整可能とし、
前記内ケースに対して、一端を中心として揺動自在に支持されたアームと、このアームの他端側に回転自在に軸支された車輪と、前記アームを下レール側に付勢する付勢手段とを設けるとともに、レール方向に沿って移動自在にアーム移動規制用スライダーを設け、
前記アーム移動規制用スライダーは、前記アームの側面に対して隣接配置され、アーム側の面に凸部を備えるとともに、前記アームの側面に前記凸部が係合する面状の切欠きが形成され、前記面状の切欠きは前記凸部が入り込むことにより前記アームを揺動不能に保持する揺動規制部と、前記凸部が前記揺動規制部から抜け出すことにより前記アームを揺動可能にする揺動許容部とを有し、前記アーム移動規制用スライダーを移動制御することにより前記凸部を前記揺動規制部と揺動許容部との間で切り換え可能としたことを特徴とする網戸用戸車装置が提供される。
【００１１】
上記請求項１記載の発明では、戸車ケースは、網戸に固定支持される外ケースと、この外ケースの内部側に設けられるとともに、前記外ケースとの係合関係によってレール方向への前後進に伴い斜め上下方向に沿って移動可能とされる内ケースとによって構成され、前記外ケースに螺退進自在に設けられ、先端を前記内ケースの側端面に当接させた上下調整ネジによって前記内ケースをレール方向に前後進させることにより上下方向位置を調整可能としてある。そして、前記内ケースに対して、一端を中心として揺動自在に支持されたアームと、このアームの他端側に回転自在に軸支された車輪と、前記アームを下レール側に付勢する付勢手段とを設けるとともに、レール方向に沿って移動自在にアーム移動規制用スライダーを設けるようにしている。
【００１２】
前記アーム移動規制用スライダーは、前記アームの側面に対して隣接配置され、アーム側の面に凸部を備えるとともに、前記アームの側面に前記凸部が嵌合する面状の切欠きが形成され、前記面状の切欠きは前記凸部が入り込むことにより前記アームを揺動不能に保持する揺動規制部と、前記凸部が前記揺動規制部から抜け出すことにより前記アームを揺動可能にする揺動許容部とを有し、前記アーム移動規制用スライダーを移動制御することにより前記凸部を前記揺動規制部と揺動許容部との間で切り換え可能としてある。
【００１３】
従って、前記アームを前記アーム移動規制用スライダーによって揺動不能に保持したり、揺動可能に保持したり制御できるようにし、前記アームに対して外れ止めの機能を持たせるようにしたため、構造が単純化され、部品点数の削減を図ることが可能となる。
【００１４】
また、前記アームに外れ止め機能を持たせるに当たって、戸車装置には一般的に上下位置調整機構を持たせる必要があるため、戸車の上下調整を行うとおのずとアームの位置も変化することになる。仮に、アームの揺動可否制御を行う部材（アーム移動規制用スライダー）を設けた場合、この制御部材とアームとの相対的位置関係が変化してしまうという問題が発生することになる。
【００１５】
そこで、本発明では、戸車ケースを外ケースと内ケースとの２部材によって構成し、内ケースを上下調整可能に支持するとともに、この内ケースに対してレール方向に沿って移動自在にアーム移動規制用スライダーを設けるようにしたため、上下位置調整を行っても、アーム移動規制用スライダーとアームとの相対的位置関係は変わらず、前記アーム移動規制用スライダーによってアームの揺動可否制御を行うことが可能となっている。
【００１６】
請求項２に係る本発明として、前記アーム移動規制用スライダーは、水平配向の棒状部材と、垂直配向の板状部材とを有し、前記棒状部材は前記内ケースに設けられた筒状部を貫通して配置され、前記板状部材は網戸の下框の室内側面に沿うように配置される請求項１記載の網戸用戸車装置が提供される。
【００１７】
上記請求項２記載の発明では、前記アーム移動規制用スライダーの具体的構成を示したものである。前記アーム移動規制用スライダーは、水平配向の棒状部材と、垂直配向の板状部材とを有し、前記棒状部材は前記内ケースに設けられた筒状部を貫通して配置され、前記板状部材は網戸の下框の室内側面に沿うように配置される。前記棒状部材が前記内ケースに設けられた筒状部を貫通して配置されることにより、前記アーム移動規制用スライダーは内ケースと共に移動するようになるため前記アーム移動規制用スライダーとアームとの相対的位置関係が変化しないようにできる。また、前記アーム移動規制用スライダーは室内側から前記板状部材に指を掛けて水平方向に移動できるようになる。
【００１８】
請求項３に係る本発明として、前記棒状部材は戸当り部材を兼用しており、網戸の建付け時に縦枠側に移動させ衝突させることにより、前記アーム移動規制用スライダーを移動させ前記凸部を前記揺動規制部から抜け出させるようにしてある請求項２記載の網戸用戸車装置が提供される。
【００１９】
上記請求項３記載の発明は、建付け時に簡単に前記アームを揺動不能状態から揺動可能状態に切り換えできるようにしたものである。具体的には、前記棒状部材を戸車装置の外に突出させるまで延ばして戸当り部材を兼用するようにし、網戸の建付け時に縦枠側に移動させ衝突させることにより、前記アーム移動規制用スライダーを移動させて前記凸部を前記揺動規制部から抜け出させるようにした。
【００２０】
次に上記第２の課題を解決するために請求項４に係る本発明として、前記アーム移動規制用スライダーの棒状部材に外嵌する支持部と、この支持部から垂下する虫除け板とからなる虫除け用隙間封鎖部材を配設してある請求項１〜３いずれかに記載の網戸用戸車装置が提供される。
【００２１】
上記請求項３記載の発明では、従来より障子の下レール及び網戸用下レールの端部には、ゴミの吐き出し等のために切欠きが設けられており、この隙間から虫が侵入する問題があったため、前記アーム移動規制用スライダーの棒状部材に外嵌する支持部と、この支持部から垂下する虫除け板とからなる虫除け用隙間封鎖部材を配設するようにした。前記虫除け用隙間封鎖部材は、前記アーム移動規制用スライダーの棒状部材に外嵌する支持部を備えているため、前記内ケースを下方向に移動調整することにより、前記虫除け用隙間封鎖部材も下方向に移動調整でき隙間を封鎖できる。また、前記支持部は、前記アーム移動規制用スライダーの棒状部材に外嵌しているため、棒状部材の方向に沿って移動でき、端部に寄せることにより端部の隙間を完全に封鎖することができる。
【発明の効果】
【００２２】
以上詳説のとおり本発明によれば、構造が単純化され、部品点数の削減を図った外れ止め機構を備えた網戸用戸車装置を提供することができる。また、戸車装置に対して、下レールの隙間を塞ぐ虫除け機能を持たせることができる。
【図面の簡単な説明】
【００２３】
【図１】本発明に係る外れ止め機構を備えた網戸用戸車装置１の納まり状態を示す、(A)は正面図、(B)は左側面図、(C)は平面図である。
【図２】網戸用戸車装置１の側面図である。
【図３】網戸用戸車装置１の斜視図である。
【図４】網戸用戸車装置１の分解図である。
【図５】アーム８の揺動可否制御を示す、(A)は揺動不能状態、(B)は揺動可能状態を示す一部破断側面図である。
【図６】虫除け用隙間封鎖部材７の作動状態を示す、(A)は調整前状態、(B)調整後状態を示す一部破断側面図である。
【発明を実施するための形態】
【００２４】
以下、本発明の実施の形態について図面を参照しながら詳述する。
【００２５】
網戸は、窓枠の内部に障子が開閉自在に設けられたその外側に配設されるものである、網戸は、上下框と左右框とによって矩形状に枠組みされ、その内側に網を張設した構造を成しており、図１に示されるように、前記網戸２の下框２Ｂの両端部に夫々、本発明に係る網戸用戸車装置１、１（以下、単に戸車装置という。）が設けられている。前記網戸２の上框が前記窓枠の上部に設けられた上レールに嵌合し、前記網戸２の下框２Ｂに設けられた戸車装置１，１が窓枠の下部に設けられた下レールの上に搭載され、左右方向に沿って移動可能となっている。
【００２６】
本発明に係る戸車装置１は、上下方向調整機能、外れ止め機能、虫除け機能とを備えるものである。以下、具体的に詳述する。
【００２７】
戸車装置１は、図２〜図５に示されるように、戸車ケース３と、一端を中心として揺動自在に支持されたアーム８と、このアーム８の他端側に回転自在に軸支された車輪９と、前記アーム８を下レール側に付勢する付勢手段１０とを備えている。
【００２８】
前記戸車ケース３は、網戸２に固定支持される外ケース４と、この外ケース４の内部側に設けられるとともに、前記外ケース４との係合関係によってレール方向への前後進に伴って斜め上下方向に沿って移動可能とされる内ケース５とによって構成されている。
【００２９】
具体的には、前記外ケース４は、垂直板４Ａと、下面が開放された断面コ字状のケース本体４Ｂとから構成され、図１に示されるように、前記垂直板４Ａが縦框２Ｃの外面に固定用ネジ１１によって固定支持されるようになっている。前記垂直板４Ａには、下レール方向に螺退進自在に上下調整ネジ１２が設けられている。また、前記外ケース４の側面には、図４に示されるように、斜め上下方向に沿って窓部４ａが形成されているとともに、両側壁面の内側に斜め上下方向に沿って溝部４ｂが形成されている。
【００３０】
一方、前記内ケース５は、図４に示されるように、下面が開放された断面コ字状を成し、戸先側上部に上下調整ネジ１２の先端が当接する階段状当接部５ｅが形成された上部ケース５Ａと、上部ケース５Ａの側壁部下端から段差を持って連設された垂壁５Ｂ、５Ｃとからなる。前記段差は外ケース４の両側壁の下端が当接する段差である。前記内ケース５の外側面には前記窓部４ａに嵌合する係合部５ａと、前記溝部４ｂに嵌合する斜め上下方向に沿った案内用凸部５ｂが設けられている。
【００３１】
前記外ケース４に内ケース５を組み付けた状態では、図５に示されるように、前記上下調整ネジ１２の先端が内ケース５の階段状当接部５ｅに当接させた状態となっており、前記上下調整ネジ１２を螺退進させて内ケース５をレール方向に前後進させると、内ケース５が斜め上下方向に移動して上下方向の位置調整が可能となっている。
【００３２】
前記内ケース５に対しては、一端を中心として揺動自在に支持されたアーム８と、このアーム８の他端側に回転自在に軸支された車輪９と、前記アーム８を下レール側に付勢する付勢手段１０とを設けるとともに、レール方向に沿って移動自在にアーム移動規制用スライダー６が設けられている。
【００３３】
前記アーム８は、アーム部８Ａと車輪支持部８Ｂとからなり、前記アーム部８Ａの基端部に回転軸部８ａを備え、前記車輪保持部８Ｂに車輪９を回転自在に軸支する軸部８ｂを備えている。前記回転軸部８ａが前記内ケース５の両側壁面に形成された軸孔５ｃに嵌合することにより前記アーム８が揺動自在に支持されている。また、前記回転軸部８ａに付勢手段としてのねじりバネ１０が外嵌されており、このねじりバネ１０による付勢力によってアーム８を下レール側に付勢させるようになっている。
【００３４】
前記アーム移動規制用スライダー６は、垂直配向の板状部材６Ａと、連結部６Ｃを介して設けられた水平配向の棒状部材６Ｂとから構成されている。前記棒状部材６Ｂは前記内ケース５に設けられた筒状部５ｄを貫通して配置され、前記板状部材６Ａは図１に示されるように、網戸２の下框２Ｂの室内側面に沿うように配置される。
【００３５】
前記アーム移動規制用スライダー６は、図５に示されるように、前記アーム８の側面に対して隣接配置され、アーム８側の面に凸部６ａを備えるとともに、前記アーム８の側面に前記凸部６ａが係合する面状の切欠き１３が形成されている。前記面状の切欠き１３は前記凸部６ａが入り込むことにより前記アーム８を揺動不能に保持する揺動規制部８ｃと、前記凸部６ａが前記揺動規制部８ｃから抜け出すことにより前記アーム８を揺動可能にする揺動許容部８ｄとからなり、前記アーム移動規制用スライダー６を水平方向に移動制御することにより前記凸部６ａを前記揺動規制部８ｃと揺動許容部８ｄとの間で切り換え可能となっている。
【００３６】
具体的には、図５(A)に示されるように、前記アーム移動規制用スライダー６が図面上で左側（戸先側）に寄せられている状態では、前記凸部６ａが面状の切欠き１３の揺動規制部８ｃに入り込んでいるため、アーム８は水平状態に保持され、下レール側方向に揺動不能に保持されている。そして、図５(B)に示されるように、前記アーム移動規制用スライダー６が図面上で右側（窓中央側）に移動させて前記凸部６ａを前記揺動規制部８ｃから抜け出させると、前記アーム８は揺動可能となり、前記ねじりバネ１０による付勢力によって下レール側に揺動するようになる。
【００３７】
前記アーム移動規制用スライダー６の棒状部材６Ｂは、戸当り部材を兼用するようになっている。すなわち、図５(A)に示されるように、前記アーム移動規制用スライダー６が左側（戸先側）に寄せられている状態で、前記棒状部材６Ｂの先端は前記外ケース４の垂直板４Ａよりも外側に突出させるようにし、網戸２の建付け時に縦枠側に移動させ縦枠に衝突させることにより、前記アーム移動規制用スライダー６を水平方向（窓中央側方向）に移動させて前記凸部６ａを前記揺動規制部８ｃから自動的に抜け出させるようにしている。また、冬期など網戸が不要となったり、掃除などのために網戸２を取り外す際には、前記アーム移動規制用スライダー６の板状部材６Ａに指を掛けて戸先側に移動させると、前記凸部６ａが面状の切欠き１３の斜辺部８ｅを摺動しながらアーム８をねじりバネ１０による付勢力に抗して水平配向となる位置まで戻し、前記揺動規制部８ｃに入り込むとアーム８は揺動不能な状態に保持される。
【００３８】
ところで、本戸車装置１には虫除け機能が備わっている。障子の下レール及び網戸用下レールの端部には、ゴミの吐き出し等のために切欠きが設けられており、この隙間から虫が侵入する問題があったため、この隙間を塞ぐための虫除け用隙間封鎖部材７が設けられている。虫除け用隙間封鎖部材７は、図４に示されるように、前記アーム移動規制用スライダー６の棒状部材６Ｂに外嵌する支持部７Ａと、この支持部７Ａから垂下する虫除け板７Ｂとからなる。前記支持部７Ａは、前記アーム移動規制用スライダー６の棒状部材６Ｂに外嵌しているため、図６(A)に示されている状態から図６(B)に示されるように、上下調整ネジ１２を螺進させて前記内ケース５を下方向に移動調整すると、前記虫除け用隙間封鎖部材７も下方向に移動調整でき隙間を封鎖することができる。また、前記支持部７Ａは、前記アーム移動規制用スライダー６の棒状部材６Ｂに外嵌しているため、棒状部材６Ｂの方向に沿って移動でき、レール端部まで寄せることにより隙間を完全に封鎖することができる。
【符号の説明】
【００３９】
１…網戸用戸車装置、２…網戸、３…戸車ケース、４…外ケース、５…内ケース、５Ａ…ケース本体、５Ｂ・５Ｃ…垂壁、５ｅ…階段状当接部、６…アーム移動規制用スライダー、６Ａ…板状部材、６Ｂ…棒状部材、６Ｃ…連結部、７…虫除け用隙間封鎖部材、７Ａ…支持部、７Ｂ…虫除け板、８…アーム、８ｃ…揺動規制部、８ｄ…揺動許容部、８ｅ…斜辺部、９…車輪、１０…ねじりバネ（付勢手段）、１１…固定用ネジ、１２…上下調整ネジ、１３…面状の切欠き
【図１】
2017057554.tif 000003
【図２】
2017057554.tif 000004
【図３】
2017057554.tif 000005
【図４】
2017057554.tif 000006
【図５】
2017057554.tif 000007
【図６】
2017057554.tif 000008